(57)【要約】 【課題】  簡単に操作できて手間が掛からず、狭い住宅でも空間の利用効率が向上する間仕切り壁を提供する。   【解決手段】間仕切り壁１１はスライド自在の可動部１２と可動部１２を格納する収納部１３から成り、収納部１３は天板１３ａと底板１３ｂと両側板１３ｃ、１３ｄとから成る。可動部１２は垂直の矩形板１２ａとこの矩形板１２ａから水平に突出する矩形形状の棚１２ｂを備える。矩形板１２ａは可動部１２が収納部１３に収納された状態で収納部１３の裏板を兼ねる。収納部１３の一方の側板１３ｄに棚１２ｂを挿通する水平の長孔１４が床からの高さＨ＝略９０ｃｍの位置に形成され、長孔１４に引き出された棚１２ｂの一方の側面が保持される。収納部１３の内部にこの棚１２ｂを格納する上下一対の矩形板Ｑ１、Ｑ２を水平に備え、可動部１２を収納部１３から引き出すと収納部１３の内部は収納部１３の両面から利用することができる。【選択図】  図１
2008081977.tif 000002
【特許請求の範囲】
【請求項１】
住宅の間取り変更構造に用いられる間仕切り壁であって、
前記間仕切り壁はスライド自在の可動部とこの可動部を格納する収納部から成り、
前記収納部は各矩形形状の天板と底板と両側板とからなる中空矩形枠形状に形成され、矩形板状の前記可動部が前記収納部に収納された状態で前記収納部の裏板を兼ねることを特徴とする間仕切り壁。
【請求項２】
請求項１に記載の間仕切り壁であって、前記可動部に水平の棚を備えるとともに一方の前記側板に前記棚を挿通する長孔が形成されることを特徴とする間仕切り壁。
【請求項３】
請求項１に記載の間仕切り壁であって、一方の前記側板に沿ってヒンジ式棚が備えられることを特徴とする間仕切り壁。
【発明の詳細な説明】
【技術分野】
【０００１】
本発明は、住宅等の各部屋区画（部屋空間）が狭いときに、状況に応じて広い部屋空間にするための技術に関し、詳しくは、部屋空間を変更する間仕切りに多機能性を持たせた間仕切り壁の技術に関する。
【背景技術】
【０００２】
従来、例えば特許文献１に間仕切り壁が開示されている。図８（ａ）、（ｂ）、（ｃ）に示すように、特許文献１の間仕切り壁３６は間仕切り壁本体３１の一側面に食事用机３２が折畳み自在に収納され、図示しない他側面には折畳み椅子３５が収納されている。
【０００３】
間仕切り壁３６は天井に取付けられた軌道３７に懸架されて自由に移動することができるので、間仕切り壁３６を使用しない場合には邪魔にならないように台所３８と食堂３９との中間の位置Ｋ１に保管される。
【０００４】
食事をする場合は、間仕切り壁３６を軌道３７上の所定の位置Ｋ２まで移動して、間仕切り壁３６を固定装置３３で固定して食事用机３２を引き出して椅子３５を並べる。
【０００５】
なお、間仕切り壁本体３１は固定装置３３の図示しない機構により床面や軌道３７に圧着することにより安定して固定される。
【特許文献１】実願平５−４５１１０
【発明の開示】
【発明が解決しようとする課題】
【０００６】
しかしながら、従来の上記間仕切り壁３６は、軌道３７が天井に突出しているので部屋の見栄えが悪く、また、使用しない場合の保管場所は単なる物置場所であるため空間が狭くなるという問題があった。また、間仕切り壁３６の移動に手間が掛かるという問題があった。
【０００７】
そこで、本発明は、上記従来の問題点を解消し、簡単に操作できて手間が掛からず、狭い住宅でも空間の利用効率が向上する間仕切り壁を提供することを目的とする。
【課題を解決するための手段】
【０００８】
請求項１の発明は、住宅の間取り変更構造に用いられる間仕切り壁であって、前記間仕切り壁はスライド自在の可動部とこの可動部を格納する収納部から成り、前記収納部は各矩形形状の天板と底板と両側板とからなる中空矩形枠形状に形成され、矩形板状の前記可動部が前記収納部に収納された状態で前記収納部の裏板を兼ねることを特徴としている。
【０００９】
請求項２の発明は、請求項１に記載の間仕切り壁であって、前記可動部に水平の棚を備えるとともに一方の前記側板に前記棚を挿通する長孔が形成されることを特徴としている。
【００１０】
請求項３の発明は、請求項１に記載の間仕切り壁であって、一方の前記側板に沿ってヒンジ式棚が備えられることを特徴としている。
【発明の効果】
【００１１】
請求項１記載の発明によれば、前記収納部は各矩形形状の天板と底板と両側板とからなる中空矩形枠形状に形成され、矩形板状の前記可動部が前記収納部に収納された状態で前記収納部の裏板を兼ねるので、前記可動部が前記収納部から引き出された状態では部屋の間仕切りができるとともに前記収納部を表側と裏側の両方から使用することができる。
【００１２】
このため、前記可動部を引き出しても間仕切り壁の内部が両側から使用できるので空間に無駄が生じないので空間の利用効率が向上する。また、この間仕切り壁であれば引き出すだけで簡単に操作できるので間仕切り作業の手間が掛からない。
【００１３】
請求項２記載の発明によれば、前記可動部に水平の棚を備えるとともに一方の前記側板に前記棚を挿通する長孔が形成されるので、前記可動部が引き出された状態で水平の棚を作業台として使用することができるので機能性が付加されるとともに、請求項１記載の発明の効果と同様の効果を得ることができる。
【００１４】
請求項３記載の発明によれば、一方の前記側板に沿って備えられるヒンジ式棚が利用できるので、請求項２記載の発明の効果と同様の効果を得ることができる。
【発明を実施するための最良の形態】
【００１５】
以下に、本発明の実施形態を図１〜図３に基づいて説明する。
【００１６】
＜間仕切り壁の構成＞
図１、図２に示すように、間仕切り壁１１はスライド自在の可動部１２とこの可動部１２を格納する収納部１３で形成され、収納部１３は矩形形状の天板１３ａと底板１３ｂと両側板１３ｃ、１３ｄとからなる中空矩形枠形状である。
【００１７】
可動部１２は垂直の矩形板１２ａとこの矩形板１２ａから水平に突出する矩形形状の棚１２ｂから成り、矩形板１２ａは可動部１２が収納部１３に収納された状態で収納部１３の裏板を兼ねる。
【００１８】
ここで、収納部１３の一方の側板１３ｄに棚１２ｂを挿通する水平の長孔１４が床からの高さＨ＝略９０ｃｍの位置に形成され、引出された状態の棚１２ｂの一方の側面がこの長孔１４内で保持される。
【００１９】
収納部１３の内部に棚１２ｂを収納する上下一対の矩形板Ｑ１、Ｑ２を水平に備える。また、収納部１３の矩形板Ｑ１から上方に三枚の固定棚Ｑ３、Ｑ４、Ｑ５が設けられ、矩形板Ｑ１は固定棚として用いられる。
【００２０】
可動部１２を収納部１３から引き出した状態で、収納部１３の内部は収納部１３の表側及び裏側から利用することができる。
【００２１】
図３に示すように、間仕切り壁１１が取付けられる住宅４は、一対の長辺壁２ａ、２ｂと一対の短辺壁３ａ、３ｂに囲まれる平面視矩形形状である。
【００２２】
長辺壁２ａに沿って短辺壁３ａ側から、玄関ホール１６、トイレ１７、ワードロープ１８、キッチン空間１９、寝室２０が設けられる。長辺壁２ｂに沿って短辺壁３ａ側から、浴室２１、洗面所２２、居間２３が設けられる。
【００２３】
そして、寝室２０と居間２３は可動間仕切り２５で仕切られ、キッチン空間１９と寝室２０の間には間仕切り壁１１が配置され収納部１３から可動部１２が引出された状態である。
【００２４】
＜間仕切り壁の作用＞
間仕切り壁１１は収納部１３から可動部１２が引き出された状態でキッチン空間１９と寝室２０を独立した部屋空間として区切ることができる。このとき、寝室２０では棚１２ｂが多機能カウンターとなるので作業台や机として使用することができる。収納部１３は寝室２０側からに加えてキッチン空間１９側からも使用することができる。そして、収納部１３に可動部１２を収納した状態では、キッチン空間１９と寝室２０とが連続した広い部屋空間として利用できる。
【００２５】
このように、多機能カウンターの間仕切り壁１１によれば色んな生活パターンに合わせて部屋空間の間仕切りができる。また、機能を必要としないときはコンパクトに収納されて空間の広がりが得られる。このため、狭い住宅でも間仕切り壁による空間無駄がないので空間の利用効率が向上するとともに機能性が向上する。
【００２６】
＜第２の実施形態＞
本発明の第２の実施形態を図４、図５を用いて間仕切り壁１１ａを説明するが、図１に示す間仕切り壁１１の構成と同構成部分については、図面に同符号を付して重複した説明を省略する。
【００２７】
図４に示すように、間仕切り壁１１ａの可動部１２には垂直の矩形板１２ａと矩形形状の棚１２ｂに連結する側板１２ｃが設けられ、可動部１２が収納部１３に収納された状態で側板１２ｃが収納部１３の側板１３ｄに当接する状態となる。側板１２ｃは側板１３ｄと同じ大きさである。
【００２８】
収納部１３の一方の側板１３ｄに棚１２ｂを挿通する水平の長孔１４が床からの高さＨ＝略１００ｃｍの位置に形成される。また、収納部１３の内部の矩形板Ｑ１から上方に二枚の固定棚Ｑ３、Ｑ４が設けられ、矩形板Ｑ１も固定棚として用いられる。
【００２９】
図５（ａ）に示すように、仕切り壁１１ａは壁２４ａに沿って設けられ、乾燥機付洗濯機２６が収納部１３の下部に納められる。壁２４ｂに沿って扉２５が設けられ扉２５は開かれた状態である。このため、部屋Ｓ１と部屋Ｓ２は連続した大きな部屋として使用できる。
【００３０】
図５（ｂ）に示すように、可動部１２を収納部１３から引き出し扉２５を閉めると、部屋Ｓ１と部屋Ｓ２は独立の部屋となる。このとき、部屋Ｓ２では矩形板Ｑ１と棚１２ｂの両方を作業台として利用できるのでアイロン２７等を用いるための幅広い作業スペースを確保することができる。側板１２ｃが設けられるので作業中にアイロン２７等の物の落下を防止できる。
【００３１】
＜第３の実施形態＞
本発明の第３の実施形態を図６、図７を用いて間仕切り壁１１ｂを説明するが、図１に示す間仕切り壁１１の構成と同構成部分については、図面に同符号を付して重複した説明を省略する。
【００３２】
図６に示すように、可動部１２は垂直の矩形板１２ａと側板１３ｄにヒンジ２８ａで取付けられたヒンジ式棚２８とから成り、ヒンジ２８ａの取付は高さＨ＝略９０ｃｍの位置に形成される。収納部１３の内部には固定棚Ｑ３、Ｑ４、Ｑ５が設けられる。
【００３３】
図７（ａ）に示すように、仕切り壁１１ｂは壁２４ａと壁２４ｂの間に設けられ、壁２４ｂに沿って設けられた扉２５が開かれた状態なので、部屋Ｓ１と部屋Ｓ２は連続した大きな部屋として使える。
【００３４】
図７（ｂ）に示すように、可動部１２を収納部１３から引き出し扉２５を閉めると、部屋Ｓ１と部屋Ｓ２は独立の部屋となる。このとき、部屋Ｓ２ではヒンジ式棚２８が回転して水平の状態となり、ヒンジ式棚２８の自由端部２８ｂが図示しない支持台を用いて水平保持される。この図示しない支持台はヒンジ式棚２８に備えるヒンジ式支持台でも、或いは収納部１３に収納できる移動式支持台でも構わない。
【００３５】
ヒンジ式棚２８と固定棚Ｑ５の両方を机として利用できるのでパソコン等事務機を用いての幅広い作業スペースを確保することができる。
【００３６】
以上、本発明の実施形態を図面に基づいて説明したが、上記の実施例はいずれも本発明の一例を示したものであり、本発明はこれらに限定されるべきでないということは言うまでもない。
【００３７】
例えば、可動部１２の下部にローラーを備えることにより引き出し及び引き込み時の安定性を向上することができる。
【００３８】
また、収納部１３の表面側に扉やカーテン等を備えることが好ましく、これにより両側の部屋空間のプライバシーを保つことができる。さらに、収納部１３の中間で固定式の区画壁を備えると確実にプライバシーが向上する。
【図面の簡単な説明】
【００３９】
【図１】本発明の第１の実施形態における、間仕切り壁１１の状態を示す斜視図である。
【図２】本発明の第１の実施形態における、図１のＡ−Ａ斜視図である。
【図３】本発明の第１の実施形態における、間仕切り壁１１が配置される住宅の区画状態を示す平面図である。
【図４】本発明の第２の実施形態における、間仕切り壁１１ａの状態を示す斜視図である。
【図５】本発明の第２の実施形態における、（ａ）は間仕切り壁１１ａの可動部１２が引き込まれた状態での配置を示す平面図と正面図、（ｂ）は間仕切り壁１１ａの可動部１２が引き出された状態を示す平面図と正面図である。
【図６】本発明の第３の実施形態における、間仕切り壁１１ｂの状態を示す斜視図である。
【図７】本発明の第３の実施形態における、（ａ）は間仕切り壁１１ａの可動部１２が引き込まれた状態での配置を示す平面図と正面図、（ｂ）は間仕切り壁１１ａの可動部１２が引き出された状態を示す平面図と正面図である。
【図８】従来例における、（ａ）は間仕切り壁６の保管の状態を示す平面図、（ｂ）は間仕切り壁６を使用する状態を示す平面図、（ｃ）は食事用机２が引き出された状態を示す斜視図である。
【符号の説明】
【００４０】
１１  間仕切り壁
１２  可動部
１３  収納部
１３ａ  天板
１３ｂ  底板
１３ｃ  側板
１３ｄ  側板
１２ａ  矩形板
１２ｂ  棚
１２ａ  矩形板
１４  長孔
Ｑ１  矩形板
Ｑ２  矩形板
【図１】
2008081977.tif 000003
【図２】
2008081977.tif 000004
【図３】
2008081977.tif 000005
【図４】
2008081977.tif 000006
【図５】
2008081977.tif 000007
【図６】
2008081977.tif 000008
【図７】
2008081977.tif 000009
【図８】
2008081977.tif 000010